(57)【要約】【課題】、トイレや下駄箱、自動車のような設置場所が限られた狭い空間に置いても場所を占有することがなく、しかも十分な香り立ちと香りの持続性にすぐれた薄型のゲル芳香剤の提供。【課題の解決手段】薄型の容器本体の表側構成面に複数個の揮散孔を有し、この容器本体の内部にゲル状組成物を充填したゲル芳香剤。好ましくは、厚さが０．５〜３．０ｃｍの薄型で、その容器本体の裏側構成面に、１個又は複数個の突起を対向する表側構成面に向けて突出させ、ゲル状組成物が揮散に伴い容器本体周辺部から内方に縮小するとともに、前記突起の周囲に止まるように構成する。【選択図】図２
2006180959.tif 000002
【特許請求の範囲】
【請求項１】
薄型の容器本体の表側構成面に複数個の揮散孔を有し、この容器本体の内部にゲル状組成物を充填したことを特徴とするゲル芳香剤。
【請求項２】
厚さが０．５〜３．０ｃｍの薄型の容器本体であることを特徴とする請求項１記載のゲル芳香剤。
【請求項３】
薄型の容器本体の裏側構成面に、１個又は複数個の突起を対向する表側構成面に向けて突出させ、ゲル状組成物が揮散に伴い容器本体周辺部から内方に縮小するとともに、前記突起の周囲に止まるように構成したことを特徴とする請求項１又は２記載のゲル芳香剤。
【請求項４】
容器本体の上部にフック部を設け、吊り下げ使用形態に構成したことを特徴とする請求項１ないし３のいずれか記載のゲル芳香剤。
【請求項５】
ゲル状組成物が、イソブチレン−無水マレイン酸共重合物のアンモニウム塩とこれの架橋剤としてのポリアミンとからなるゲル化剤に加え、有機酸及び／又は有機酸の塩を含有する組成物であるか、もしくはイソブチレン−無水マレイン酸共重合物の反応生成物とゼラチンとからなるゲル化剤を含有する組成物であることを特徴とする請求項１ないし４のいずれか記載のゲル芳香剤。
2006180959.tif 000003
【発明の詳細な説明】
【技術分野】
【０００１】
本発明は、薄型のゲル芳香剤、好ましくは吊り下げ使用形態に構成した薄型のゲル芳香剤に関する。
【背景技術】
【０００２】
現在、市販されているゲル芳香剤は、円柱型などの容器に充填され、使用する際はテーブルの上や棚の上に置いて使用するものが一般的である。しかし、トイレや下駄箱、自動車などの狭い空間においては、ゲル芳香剤を置く場所が必ずしも用意されていなかったり、置けたとしてもこのような狭い空間では邪魔になるケースがしばしば起こりうる。
このため、壁掛けタイプのシート状芳香剤も市販されているが、これらの商品は場所を取らないものの、香り立ちや香りの持続性の点で満足のいくものでなかった。また、特開２００４−２６１１５１号公報、特開２００４−２６１１５２号公報、ならびに特開２００４−２６１１５３号公報には、フック付きの薬剤容器が記載されているが、これらは不織布などの含浸体に芳香剤などの薬剤を含浸させて用いることを特徴としており、ゲル状組成物を充填してなる本発明とは全く異なるものである。
【特許文献１】特開２００４−２６１１５１号公報
【特許文献２】特開２００４−２６１１５２号公報
【特許文献３】特開２００４−２６１１５３号公報
【発明の開示】
【発明が解決しようとする課題】
【０００３】
本発明は、トイレや下駄箱、自動車のような設置場所が限られた狭い空間に置いても場所を占有することがなく、しかも十分な香り立ちと香りの持続性にすぐれた薄型のゲル芳香剤を提供することを目的とする。
【課題を解決するための手段】
【０００４】
上記課題を解決するため、本発明は以下の構成を採用する。
（１）薄型の容器本体の表側構成面に複数個の揮散孔を有し、この容器本体の内部にゲル状組成物を充填したゲル芳香剤。
（２）厚さが０．５〜３．０ｃｍの薄型の容器本体である（１）記載のゲル芳香剤。
（３）薄型の容器本体の裏側構成面に、１個又は複数個の突起を対向する表側構成面に向けて突出させ、ゲル状組成物が揮散に伴い容器本体周辺部から内方に縮小するとともに、前記突起の周囲に止まるように構成した（１）又は（２）記載のゲル芳香剤。
（４）容器本体の上部にフック部を設け、吊り下げ使用形態に構成した（１）ないし（３）のいずれか記載のゲル芳香剤。
（５）ゲル状組成物が、イソブチレン−無水マレイン酸共重合物のアンモニウム塩とこれの架橋剤としてのポリアミンとからなるゲル化剤に加え、有機酸及び／又は有機酸の塩を含有する組成物であるか、もしくはイソブチレン−無水マレイン酸共重合物の反応生成物とゼラチンとからなるゲル化剤を含有する組成物である（１）ないし（４）のいずれか記載のゲル芳香剤。
【発明の効果】
【０００５】
本発明のゲル芳香剤は、前記の如く構成したことにより、従来の置き型の芳香剤が置けないような空間でも場所を取らずに設置可能で、しかも十分な香り立ちと香りの持続性にすぐれているので、その実用性は極めて高い。
【発明を実施するための最良の形態】
【０００６】
以下、図面を参考にして本発明の実施の形態を説明する。
図１には、本発明による薄型のゲル芳香剤の一実施形態が示されている。この容器本体１は、ポリエステル等の薬剤非透過性プラスチック樹脂製が好ましく、表側構成面２とこれに対向する裏側構成面３を備えている。表側構成面２は複数の揮散孔４を有し、両面間の厚さは、０．５〜３．０ｃｍが適当である。０．５ｃｍ未満では充填されるゲルの厚さが薄くなって香りの持続性が十分でなく、一方、３．０ｃｍを超えると、「どこにでも設置でき、邪魔にならない」という本発明の趣旨に沿わず好ましくない。
また、表側構成面２と裏側構成面３は、ヒンジを介して両面を合体させ容器本体１を形成するようにしてもよいし、あるいは別体の両部材を嵌合・一体化させる方式を採用することもできる。
【０００７】
図２は、本発明による薄型のゲル芳香剤の他の実施例で、吊り下げ使用形態に構成したものである。容器本体１は表側構成面２と裏側構成面３に加え、上部にフック部５を備えている。フック部５は、別体として容器本体１に付設してもよいし、あるいは表側構成面２又は裏側構成面３の一部として一体成形してもよい。かかるフック部５の設置により、トイレの配水パイプや、タオル掛け、ドアノブ、車のバックミラーなどに吊り下げて使用することが可能となる。
【０００８】
図３は図１の断面図を、また図４は図２の実施形態の一部を示し、裏側構成面３の略中央部に、突起７が対向する表側構成面に向けて突設されている。
図５は図４の使用経過状態を示すもので、突起７の設置は、揮散に伴い縮小したゲル状組成物６を落下させずに突起７の周囲に止める効果を有する。すなわち、本構成によれば、ゲル状組成物は容器本体周辺部から内方に向けて縮小するので、上下左右でゲル組成物の減り方に偏りがなくなり香りが安定して持続する。更に、ゲル状組成物６を着色すれば使用期間のインジケーターとしても有用であることが認められた。
突起７の形状としては、ゲル状組成物６の移動を阻止できる限り任意であるが、きのこ状が効果的であり、突起７の数は１個であっても２個以上であっても構わない。２個以上の突起７を設ける場合、突起同士が離れすぎるとゲル組成物６が縮小したときにゲルに亀裂が生じる恐れがあるため、突起同士はなるべく密集した状態で設けるのが好ましい。
また、突起７を設ける位置は、通常、裏側構成面３の中央部が適当であるが、表側構成面２の揮散孔４の設置位置やデザインに応じて適宜設計することもできる。
【０００９】
本発明で用いるゲル状組成物６は、容器本体に充填後、ゲルが離水したり容器本体から液が垂れたり、あるいはゲルに亀裂が入ったりしないように、ゲル化剤を選定して用いるのが好ましく、例えば、イソブチレン−無水マレイン酸共重合物のアンモニウム塩とこれの架橋剤としてのポリアミンとからなるゲル化剤に加え、有機酸及び／又は有機酸の塩を含有する組成物か、もしくはイソブチレン−無水マレイン酸共重合物の反応生成物とゼラチンとからなるゲル化剤を含有する組成物が好適である。
【００１０】
具体的なゲル状組成物６の一例としては、香料ならびにこれの可溶化剤、イソブチレン−無水マレイン酸共重合物のアンモニウム塩を２．０〜５．０重量％、これの架橋剤としてのポリアミンを０．１０〜０．７０重量％、有機酸及び／又は有機酸の塩を０．１〜２．０重量％、及び水を含有するとともに、前記イソブチレン−無水マレイン酸共重合物のアンモニウム塩と前記ポリアミンの配合比が重量比で１００：４〜１００：２５であり、しかもｐＨが５〜７に調整されたゲル状組成物があげられる。
ここで、イソブチレン−無水マレイン酸共重合物のアンモニウム塩は、分子量５００００以上が好ましく、例えば商品名「イソバン１０４」や「イソバン１１０」（ともに（株）クラレ製）等の市販品を例示することができる。一方、ポリアミンは、前記イソブチレン−無水マレイン酸共重合物のアンモニウム塩と架橋反応するものであれば特に限定されず、トリエチレンテトラミン、テトラエチレンペンタミン、ペンタエチレンヘキサミン、ポチエチレンイミンなどがあげられる。
【００１１】
前記ゲル状組成物６において、用いる香料は任意である。例えば、各種芳香性香料のほか、シトロネラール、シトロネロール、シトラール、リナロール、テルピネオール、メントール、ｐ−メンタン−３，８−ジオール、α―ピネン、カンファー、ゲラニオール、カランー３，４−ジオール、桂皮酸エチル、酢酸シンナミル、シトロネラ油、ユーカリ油、ヒバ油等、害虫に対する虫よけ効果やダニに対するダニよけ効果を示す揮散性香料も含まれる。なお、これらは天然物であっても合成品であってももちろん構わない。
【００１２】
また、可溶化剤も任意であるが、ノニオン系界面活性剤が好ましく、なかでも、ポリオキシエチレンアルキルエーテル及び／又はポリオキシエチレン硬化ヒマシ油から選ばれた１種又は２種以上が好適である。前者の具体例としては、ポリオキシエチレンデシルエーテル、ポリオキシエチレンラウリルエーテル、ポリオキシエチレンセチルエーテル、ポリオキシエチレンオレイルエーテルなどがあげられ、特にアルキル基の炭素数が１０ないし１２であるポリオキシエチレンアルキルエーテルがゲル化性能上好ましい。
なお、必要ならば、可溶化剤の補助成分として、アニオン系界面活性剤やカチオン系界面活性剤、両性界面活性剤、あるいは、アルコール類、グリコール類、グリコールエーテル類などの溶剤を若干量添加しても構わない。
【００１３】
前記ゲル状組成物６を調製するに際しては、室温において、イソブチレン−無水マレイン酸共重合物のアンモニウム塩を水に溶解し、静置して気泡を抜いたあと、ポリアミンを添加し、次いで、別に混合した香料、可溶化剤、有機酸及び／又は有機酸の塩、その他の添加物を添加し、均一に撹拌後、容器に充填後、ゲル化せしめればよい。
【００１４】
本発明では、ゲル状組成物６の表面から揮散した香料が、表側構成面２に設けられた複数個の揮散孔４を通り空中に放散される。揮散孔４の面積は、使用用途や使用期間等を考慮して適宜決定することができるが、通常表側構成面２の面積に対して４０％以上に設計するのが好ましく、必要ならば裏側構成面３にも揮散孔４を設けてもよい。揮散孔４のデザインについても任意であり、図６〜図１０にその変形例を示す。
【００１５】
本発明のゲル芳香剤には、香料の外に必要に応じて他の添加剤、例えば公知の消臭剤、酸化防止剤、防腐剤、紫外線吸収剤、色素等を配合し、多目的組成物とすることもできる。
そして、本発明のゲル芳香剤は、従来の置き型の芳香剤が置けないような空間でも場所を取らずに設置可能で、しかも十分な香り立ちと香りの持続性にすぐれており、トイレ用、下駄箱用、自動車用等の芳香消臭剤などとして極めて有用である。
【００１６】
以下実施例を用いて本発明をさらに詳細に説明するが、本発明はこれらの実施例に限定されるものではない。
【実施例１】
【００１７】
イソブチレン−無水マレイン酸共重合物のアンモニウム塩［（株）クラレ製「イソバン１１０」］５．０重量％をを撹拌しながらイオン交換水５９重量％に完全に溶解させ、静置し、脱泡した。次にポリエチレンイミン０．５重量％を添加し、充分撹拌した。撹拌後、別容器にて混合した香料５．０重量％、ポリオキシエチレンデシルエーテル１０重量％、クエン酸０．５重量％、及びイオン交換水２０重量％を含む成分を添加し、充分撹拌して、本発明で用いるゲル状組成物６を得た。
【００１８】
図２に示す、厚さ１．５ｃｍ、横幅１０ｃｍ、高さ８ｃｍのフック部（５）付き容器本体１を作製した。この容器本体１は、表側構成面２と裏側構成面３がヒンジを介して合体可能にプラスチック成形され、裏側構成面３の中央部には図４に示すように、きのこ状の突起７が１個設けられている。
かかる容器本体１の内部に前記ゲル状組成物（６）１１０ｇを充填し、本発明のゲル芳香剤を得た。
【００１９】
本発明ゲル芳香剤をトイレの壁に吊り下げて使用したところ、場所を取らず使い勝手にすぐれ、香り立ちも良好で、香りは約１ケ月間安定して持続した。また、使用期間中、ゲルが離水したり、容器本体１から液が垂れることもなく、ゲル組成物６は容器本体（１）周辺部から中央部に向けて縮小し、その形状変化も楽しむことができた。
なお、前記ゲル状組成物６の替わりに、ゲル化剤としてカラギーナンを用いた場合には、経時的に離水が観察され、十分満足のいくものとは言えなかった。
【００２０】
実施例１の比較として、前記ゲル状組成物６を従来の容器（上面に揮散孔を有する円柱形の置き型タイプ）に入れ、トイレで使用した。その結果、棚の場所を取るうえ、使用開始１週後くらいからゲル状組成物６が減少せず香りも感じられなくなり、芳香消臭剤として不適当であった。
【産業上の利用可能性】
【００２１】
本発明の透明ゲル状芳香剤は、芳香・消臭剤分野だけでなく、例えば、殺虫・殺ダニ剤、抗菌剤等の分野にも利用できる可能性がある。
【図面の簡単な説明】
【００２２】
【図１】本発明による薄型のゲル芳香剤の一実施例の説明図である。
【図２】本発明による薄型のゲル芳香剤の他の実施例（吊り下げ使用形態）の説明図である。
【図３】図１の断面図である。
【図４】図２の実施形態の一部を示す説明図である。
【図５】図４の使用経過状態を示す説明図である
【図６】図１又は図２の揮散孔の変形例を示す説明図である
【図７】図１又は図２の揮散孔の変形例を示す説明図である
【図８】図１又は図２の揮散孔の変形例を示す説明図である
【図９】図１又は図２の揮散孔の変形例を示す説明図である
【図１０】図１又は図２の揮散孔の変形例を示す説明図である
【符号の説明】
【００２３】
１：容器本体
２：表側構成面
３：裏側構成面
４：揮散孔
５：フック部
６：ゲル状組成物
７：突起
【図１】
2006180959.tif 000004
【図２】
2006180959.tif 000005
【図３】
2006180959.tif 000006
【図４】
2006180959.tif 000007
【図５】
2006180959.tif 000008
【図６】
2006180959.tif 000009
【図７】
2006180959.tif 000010
【図８】
2006180959.tif 000011
【図９】
2006180959.tif 000012
【図１０】
2006180959.tif 000013